(57)【要約】【課題】  音響入出力デバイスを通信処理に応じて適正に稼動させる。【解決手段】  携帯通信端末（101）は、音響を外部入力するための複数の音響入力手段（15a、15b）及び音響を外部出力するための複数の音響出力手段（11、13）を有する音響入出力部（10）と、該音響入出力部の少なくとも一方の手段を用いた相互に異なる通信処理を選択的に実行する通信処理部（20）と、該通信処理部により実行される通信処理に応じて前記各手段による音響入出力部の動作指示を決定し該決定した動作指示を音響入出力部へ与える音響処理部（50）とを備える。【選択図】      図１
2005236385.tif 000002
【特許請求の範囲】
【請求項１】
音響を外部入力するための複数の音響入力手段及び音響を外部出力するための音響出力手段を有する音響入出力部と、該音響入出力部の少なくとも一方の前記手段を用いた相互に異なる通信処理を選択的に実行する通信処理部と、該通信処理部により実行される通信処理に応じて前記各手段による音響入出力部の動作指示を決定し該決定した動作指示を前記音響入出力部へ与える音響処理部とを備えることを特徴とする携帯通信端末。
【請求項２】
前記音響入出力部は、前記複数の音響入力手段により音響の外部入力及び外部出力を選択的に実行する手段を有し、
前記音響処理部は、前記音響入出力部に対し、前記複数の音響入力手段による音響の外部出力を指示することを特徴とする請求項１記載の携帯通信端末。
【請求項３】
前記音響処理部は、前記音響入出力部に対する前記動作指示において、前記複数の音響入力手段によるステレオ音響出力のための動作パラメータを設定することを特徴とする請求項２記載の携帯通信端末。
【請求項４】
前記音響処理部は、前記音響入出力部に対する前記動作指示において、前記複数の音響入力手段によるステレオ音響入力のための動作パラメータを指示することを特徴とする請求項１記載の携帯通信端末。
【請求項５】
前記音響処理部は、前記音響入力部が各音響入力手段により入力した音響の入力レベルを比較し、少なくとも、最も低い入力レベルとなる音響入力手段による音響入力の停止を前記音響入出力部に指示することを特徴とする請求項１記載の携帯通信端末。
【請求項６】
前記通信処理部は、端末筐体の開閉状態を検出する手段を有し、
前記音響処理部は、前記通信処理部において検出された開閉状態に基づき前記音響入出力部への動作指示を決定することを特徴とする請求項１記載の携帯通信端末。
【請求項７】
ヒンジ機構により２つの筐体部分が開閉する折りたたみ型の携帯電話機である請求項６記載の携帯通信端末。
【請求項８】
音響を外部入力するための音響入力手段及び音響を外部出力するための複数の音響出力手段を有する音響入出力部と、該音響入出力部の少なくとも一方の前記手段を用いた相互に異なる通信処理を選択的に実行する通信処理部と、該通信処理部により実行される通信処理に応じて前記各手段による音響入出力部の動作指示を決定し該決定した動作指示を前記音響入出力部へ与える音響処理部とを備えることを特徴とする携帯通信端末。
【請求項９】
前記音響処理部は、前記音響入出力部に対する前記動作指示において、前記複数の音響出力手段によるステレオ音響出力のための動作パラメータを設定することを特徴とする請求項８記載の携帯通信端末。
【請求項１０】
前記音響処理部は、前記音響入出力部に対する前記動作指示において、前記複数の音響出力手段による音響出力の出力レベルに関し通信処理毎に異なる動作パラメータを設定することを特徴とする請求項８記載の携帯通信端末。
【請求項１１】
前記通信処理部は、端末筐体の開閉状態を検出する手段を有し、
前記音響処理部は、前記通信処理部において検出された開閉状態に基づき前記音響入出力部への動作指示を決定することを特徴とする請求項８記載の携帯通信端末。
【請求項１２】
回転軸機構により２つの筐体部分が開閉するロータリー型の携帯電話機である請求項１１記載の携帯通信端末。
【発明の詳細な説明】
【技術分野】
【０００１】
本発明は、携帯電話機あるいはスケジュール管理端末のような携帯通信端末に関し、特に、複数の音響入出力デバイスを具備する携帯通信端末に関する。
【背景技術】
【０００２】
従来、携帯通信端末に複数のスピーカを設けることにより、出力音響の品質向上を図る技術が存在する。この種の技術として、例えば、後述の特許文献１に記載のものがある。特許文献１に係る手法は、携帯端末に少なくとも２つのスピーカを備え、各スピーカによる再生音響が互いに補助し合うように、これらのスピーカを同時に稼動させるというものである。
【特許文献１】特開２００２−１１１８１７号公報
【発明の開示】
【発明が解決しようとする課題】
【０００３】
ところで、昨今の携帯電話機にあっては、一般的な通話機能の他に、動画像の録画・再生及び送受信機能、あるいは動画像を再生しつつ通話を可能とする所謂テレビ電話機能等、複数の通信機能を有するものが普及している。このような携帯電話機を利用する際は、一般的な通話時は端末を耳に接触させるのに対し、テレビ電話の利用時にはユーザが端末に対向して通話するというように、通信機能に応じてユーザの利用形態が異なる。
【０００４】
しかしながら、端末を耳にあてる一般的な通話時は、テレビ電話時に比べて小さな音響出力でも対処できることから、複数のスピーカを全て稼動させる従来の上記手法では、かえって無駄な電力が消費されるおそれがある。また、テレビ電話時や動画像の録画時には、明瞭な音響再生を行うために、より多くの音響を捕捉することが望まれる。
【０００５】
本発明は、上記課題に鑑みてなされたものであり、多様な通信機能のそれぞれに適した音響処理を円滑に実行し得る携帯通信端末を提供することを目的とする。
【課題を解決するための手段】
【０００６】
本発明に係る携帯通信端末は、音響を外部入力するための複数の音響入力手段及び音響を外部出力するための音響出力手段を有する音響入出力部と、該音響入出力部の少なくとも一方の前記手段を用いた相互に異なる通信処理を選択的に実行する通信処理部と、該通信処理部により実行される通信処理に応じて前記各手段による音響入出力部の動作指示を決定し該決定した動作指示を前記音響入出力部へ与える音響処理部とを備える。
【０００７】
また、本発明に係る他の携帯通信端末は、音響を外部入力するための音響入力手段及び音響を外部出力するための複数の音響出力手段を有する音響入出力部と、該音響入出力部の少なくとも一方の前記手段を用いた相互に異なる通信処理を選択的に実行する通信処理部と、該通信処理部により実行される通信処理に応じて前記各手段による音響入出力部の動作指示を決定し該決定した動作指示を前記音響入出力部へ与える音響処理部とを備える。
【発明の効果】
【０００８】
本発明に係る携帯通信端末によれば、音響の入出力デバイスに対し、端末にて実行する通信処理に応じて動作制御を行うことから、当該通信処理に適した音響システムを提供することができる。
【発明を実施するための最良の形態】
【０００９】
［実施例１］
以下、本発明の実施例について図面を用いて詳細に説明する。図１は、本発明の携帯通信端末の実施例の構成を示すブロック図である。実施例の携帯通信端末である携帯電話機１０１は、図１に示すように、複数の音響入力手段及び複数の音響出力手段を有する音響入出力部１０と、音声のみの一般的な通話、テレビ電話による通話、動画像の録画・再生及び音声・音楽の再生等の通信処理を選択的に実行する通信処理部２０と、通信処理部２０での通信処理に応じて音響入出力部１０に動作指示を与える音響処理部５０とを備える。
【００１０】
音響入出力部１０は、音響出力手段となるスピーカであるＳＰＫ１１及びＳＰＫ駆動部１２と、同じく音響出力手段であって受話機能を果たすレシーバであるＲＥＣ１３及びＲＥＣ駆動部１４と、それぞれが音声入力手段となるマイクロホンであるＭＩＣ１５ａ及びＭＩＣ１５ｂと、これらのＭＩＣ１５ａ及び１５ｂに対し後述の入出力切り換えを行うための入出力スイッチ１６ａ及び入出力スイッチ１６ｂと、各ＭＩＣ１５ａ及び１５ｂにより入力される音響を検出するＭＩＣ入力検出部１７とを有する。
【００１１】
通信処理部２０は、携帯電話機１０１の無線信号を送受信するための送受信ＡＮＴ（アンテナ）２１と、無線信号の変復調を行う携帯電話用無線部２２と、携帯電話の信号処理を行うシステム処理部２３と、ＣＰＵ２４と、操作入力部であるキー２５と、キー２５の入力を検出するキー検出部２６と、表示機能を果たすＬＣＤ２７及びＬＣＤ駆動部２８と、プログラムを格納するＲＯＭ２９と、データを格納するＲＡＭ３０とを有する。
【００１２】
本実施例のＭＩＣ１５ａ及びＭＩＣ１５ｂは、音響入力手段としての機能を果たす他に、ＳＰＫ１１のような音響出力手段としての機能も果たす。具体的には、携帯電話機１０１による通話や録画のような通信処理に応じて、各ＭＩＣ１５ａ及び１５ｂをマイクロホン又はスピーカとして稼動させる。この制御は、音響処理部５０が、ＳＰＫ駆動部１２及びＭＩＣ入力検出部１７に動作指示を与え、これにより入出力スイッチ１６ａ及び１６ｂが音響信号の接続切り換えを行うことにより実現される。このように、本来は音響入力手段となる各ＭＩＣ１５ａ及び１５ｂを、音響出力手段としても機能させることにより、スピーカデバイスの追加配置が不要となり、携帯電話機１０１における設計スペースの有効利用を図ることができる。
【００１３】
上述した各ＭＩＣ１５ａ及び１５ｂのように、音響の入力および出力機能を果たし得るデバイスとしては、例えば、マイクロホンの一種であるダイナミックマイクロホンを用いることができる。ダイナミックマイクロホンは、従来知られているように、磁石の磁場の中に、音響板に接続されたコイルが配置されており、音響板の振動がコイルに伝達して磁場が変動することにより、コイルに入力信号の電流が流れるという仕組みを持つ。
【００１４】
一方、従来のスピーカには、上記ダイナミックマイクロホンと同様な構成を持つものが存在し、このスピーカの場合、コイルに電流を流すことによる磁場の発生により、コイルに接続された音響板が振動して音が外部出力される。よって、ダイナミックマイクロホンに対する動作指示を制御することにより、このマイクロホンが音響の選択的な入出力を実現する。なお、このような手法は、例えば、無線機のスピーカマイクなどに適用されることが一般的に知られており、本実施例では、この手法を携帯電話機１０１のＭＩＣ１５ａ及びＭＩＣ１５ｂに利用する。
【００１５】
図２に、実施例の携帯電話機１０１の外観を概略的に示す。図２の（ａ）に示すように、携帯電話機１０１は、ＲＥＣ１３及びＬＣＤ２７を有する筐体上部１０１ａと、キー２５を有する筐体下部１０１ｂとがヒンジ機構１０１ｃにより接続された折りたたみ型の電話機であり、筐体下部１０１ｂには、上記説明したＭＩＣ１５ａ及びＭＩＣ１５ｂが設けられている。また、同図の（ｂ）に示すように、筐体上部１０１ａの表面、すなわちＬＣＤ２７の面と背向する面には、ＳＰＫ１１が設けられている。
【００１６】
実施例の携帯電話機１０１の動作手順を図３のフローチャートに沿って説明する。携帯電話機１０１が起動すると（ステップＳ１）、音響処理部５０は、音響入出力部１０に対する初期化処理として、ＳＰＫ駆動部１２、ＭＩＣ入力検出部１７、入出力スイッチ１６ａ及び１６ｂに、各ＭＩＣ１５ａ及び１５ｂをマイク動作モード、ＳＰＫ１１をモノラルスピーカ（Left＋Right）動作モードを設定する（ステップＳ２）。また、図３には示さないが、このときＲＥＣ１３がレシーバ動作モードに設定されている。
【００１７】
マイク動作モードでは、各ＭＩＣ１５ａ及び１５ｂが稼動するとき、これらに、音響の外部入力を行うための動作パラメータが設定される。レシーバ動作モードでの稼動時は、ユーザがＲＥＣ１３を耳に接触させる受話操作に適した音量で音声出力するための動作パラメータが設定される。スピーカ動作モードでの稼動時は、テレビ電話時のようにユーザが携帯電話機１０１と対向して利用するのに適した音量で音声出力するためのパラメータが設定される。このスピーカ動作モードでは、上記のレシーバ動作モードに比べ、より大きく明瞭な音声出力を求められることから、より大きな出力ゲインを設定すると共に、周波数特性の低周波数帯域を高く設定する。
【００１８】
上記の初期化処理が完了すると、通信処理部２０のＣＰＵ２４は、携帯電話機１０１の動作状態を監視し、状態に応じて、音響処理部５０に対し音響入出力部１０の動作モードを指定する（ステップＳ３）。
【００１９】
例えば、ユーザが携帯電話機１０１にて一般的な通話、すなわち音声のみによる通話を開始するとき（ステップＳ３ａ）、ＣＰＵ２４は、ＭＩＣ１５ａ及びＭＩＣ１５ｂのいずれか一方をマイク動作モードにて稼動させると共に、他方のマイクおよびＳＰＫ１１をＯＦＦモード、すなわち稼動を停止するよう音響処理部５０に指定する（ステップＳ４）。一般的な通話時は、各ＭＩＣ１５ａ及び１５ｂがユーザの口元に接近しており、発声を捕捉し易いことから、いずれか一方のマイクロホンを稼動させ、他方を停止させる。これにより、電力の消耗を抑制することができる。
【００２０】
また、テレビ電話による通話開始時には（ステップＳ３ｂ）、ＭＩＣ１５ａをステレオ（Left）マイク動作モードにて稼動させると共に、ＭＩＣ１５ｂをステレオ（Right）マイク動作モードにて稼動させ、ＳＰＫ１１をスピーカ動作モードにて稼動させる（ステップＳ５）。このとき、各ＭＩＣ１５ａ及び１５ｂに対しては、ステレオ音響入力のための動作パラメータが設定される。これにより、携帯電話機１０１は、両ＭＩＣ１５ａ及び１５ｂより多くの音声の捕捉が可能となると共に、臨場感のある音声データを取得することができる。
【００２１】
動画像の録画開始時は（ステップＳ３ｃ）、ＭＩＣ１５ａをステレオ（Left）マイク動作モード、ＭＩＣ１５ｂをステレオ（Right）マイク動作モードに設定することにより、上述と同様なステレオ音響入力を行い、また、録画時においては音響の外部出力は不要であることから、ＳＰＫ１１をＯＦＦモードに設定する（ステップＳ６）。
【００２２】
また、動画像の再生時、あるいは既に録音された音声や配信された音楽の再生時は（ステップＳ３ｄ、Ｓ３ｅ）、ＭＩＣ１５ａをステレオ（Left）スピーカ動作モード、ＭＩＣ１５ｂをステレオ（Right）スピーカ動作モード、そしてＳＰＫ１１をモノラル（Left＋Right）スピーカ動作モードに設定する（ステップＳ７）。この設定により、各ＭＩＣ１５ａ及び１５ｂは、本来の音響入力手段として動作することに代えて、ＳＰＫ１１と共に音響を外部出力する手段として動作する。
【００２３】
各ＭＩＣ１５ａ及び１５ｂの動作の切り換えは、上記説明したように、入出力スイッチ１６ａ及び１６ｂにより、各ＭＩＣ１５ａ及び１５ｂの接続をＭＩＣ入力検出部１７からＳＰＫ駆動部１２に切り換えることにより実行される。上記設定により、ＳＰＫ１１からの音響出力に加え、両ＭＩＣ１５ａ及び１５ｂによるステレオ音響出力が実行されることから、臨場感のある音声や音楽をユーザに提供することができる。このようにして、各ＭＩＣ１５ａ及び１５ｂを活用することにより、いわゆるマルチスピーカシステムを構築することができる。
【００２４】
ＣＰＵ２４は、上述の何れかの通信処理が終了する毎に（ステップＳ８：Ｙｅｓ）、再び状態を監視すべくステップＳ３に戻る。
【００２５】
［実施例２］
上記説明した実施例１では、一般的な通話時に（ステップＳ３ａ）、各ＭＩＣ１５ａ及び１５ｂのいずれか一方をＯＦＦモードに設定したが（ステップＳ４）、ＯＦＦモードに設定すべきマイクロホンを所定条件に基づき決定するようにしてもよい。その手順を図４のフローチャートに沿って説明する。なお、図４において、実施例１に係る図３の符号と同一の符号を付された手順は、実施例１のそれと同様であり、ここでは説明を省略する。
【００２６】
図４に示すように、携帯電話機１０１は、起動時（ステップＳ２１）の初期化処理として、ＭＩＣ１５ａ及びＭＩＣ１５ｂをＯＦＦモードとする（ステップＳ２２）。そして、通話開始時（ステップＳ３ａ）、まず双方のＭＩＣ１５ａ及び１５ｂをマイク動作モードに設定する（ステップＳ２３）。
【００２７】
次いで、ユーザが通話を開始したとき（ステップＳ３ａ）、音響処理部５０が、ＭＩＣ入力検出部１７により検出された各ＭＩＣ１５ａ及び１５ｂの入力レベルを比較し、その結果、ＭＩＣ１５ａの入力レベルが他方のＭＩＣ１５ｂのそれよりも大きい場合（ステップＳ２４：Ｙｅｓ）、ＭＩＣ１５ｂの稼動を停止させるべく、これをＯＦＦモードに設定し、ＭＩＣ１５ａのほうをマイク動作モードにて稼動させる（ステップＳ２５）。また、ＭＩＣ１５ａの入力レベルのほうが小さい場合は（ステップＳ２４：Ｎｏ）、このＭＩＣ１５ａにＯＦＦモードを設定し、ＭＩＣ１５ｂのほうをマイク動作モードにて稼動させる（ステップＳ２６）。なお、図示のように、テレビ電話時（ステップＳ３ｂ）においても、上記の手順と同様にして、一方のマイクロホンを停止させるようにすることができる（ステップＳ２７〜３０）。
【００２８】
実施例２の手順によれば、携帯電話機１０１の消費電力を抑制できると共に、より良好な音声入力を実現するマイクロホンを自動的に選択することができる。
【００２９】
［実施例３］
図５は、実施例３の携帯電話機１０３の構成を示すブロック図である。携帯電話機１０３は、図１に沿って説明した携帯電話機１０１と同様な折りたたみ型の端末であり、携帯電話機１０１の構成に加え、音響入力手段としてのマイクロホンであるＭＩＣ１５ｃと、筐体の開閉状態を検出する開閉検出部３１とを備える。開閉検出部３１としては、例えば、一般的な折りたたみ型の携帯電話機において、折りたたみ内側のヒンジ機構付近に設けられる圧力センサを用いることができる。
【００３０】
図６に、携帯電話機１０３の外観を概略的に示す。携帯電話機１０３は、同図（ａ）に示すように、筐体上部１０３ａの表面にＭＩＣ１５ａ及びＭＩＣ１５ｂとＳＰＫ１１とが設けられ、また、筐体下部１０３ｂにおけるキー２５の面にＭＩＣ１５ｃが設けられている。同図（ｂ）に、携帯電話機１０３の筐体が閉じられた状態、すなわち筐体下部１０３ｂのキー２５の面に対し筐体上部１０３ａを重ね合わせた状態を示す。
【００３１】
携帯電話機１０３の動作手順を図７のフローチャートに沿って説明する。なお、図７において、実施例１に係る図３の符号と同一の符号を付された手順は、実施例１のそれと同様であり、ここでは説明を省略する。携帯電話機１０３は、起動時（ステップＳ３１）の初期化処理において、ＭＩＣ１５ａ及びＭＩＣ１５ｂをＯＦＦモードとすると共に、ＭＩＣ１５ｃをＭＩＣ動作モードに設定する（ステップＳ３２）。
【００３２】
次いで、通話開始時（ステップＳ３ａ）、ＣＰＵ２４は、開閉検出部３１により携帯電話機１０３筐体の開閉状態を確認し、その結果、筐体が開いた状態、すなわち図６（ａ）に示すような状態にある場合（ステップＳ３３：Ｎｏ）、その旨を音響処理部５０に通知する。音響処理部５０は、図６（ａ）の状態での通話に不要となる各ＭＩＣ１５ａ及び１５ｂと、ＳＰＫ１１とをＯＦＦモードに設定すると共に、図示の状態において通話時の送話手段となるＭＩＣ１５ｃをＭＩＣ動作モードにて稼動させる（ステップＳ３４）。
【００３３】
通話時に、筐体が折りたたみ状態、すなわち図６（ｂ）に示す状態にある場合（ステップＳ３３：Ｙｅｓ）、音響処理部５０は、図示の状態での通話を可能とすべく、筐体上部１０３ａの表面にあるＭＩＣ１５ａ及びＭＩＣ１５ｂを送話手段としてＭＩＣ動作モードにて稼動させ、ＳＰＫ１１を受話手段としてレシーバ動作モードにて稼動させる。そして、図示の状態では利用不可となるＭＩＣ１５ｃをＯＦＦモードに設定する（ステップＳ３５）。
【００３４】
また、テレビ電話開始時は（ステップＳ３ｂ）、図６（ｂ）のような折りたたみ状態にある場合（ステップＳ３６：Ｙｅｓ）、各ＭＩＣ１５ａ及び１５ｂをＭＩＣ動作モードにて稼動させ、ＳＰＫ１１をモノラル（Left＋Right）スピーカ動作モードにて稼動させ、ＭＩＣ１５ｃをＯＦＦモードに設定する。テレビ電話時に携帯電話機１０３の筐体が開いている状態であれば（ステップＳ３６：Ｎｏ）、各ＭＩＣ１５ａ及び１５ｂをＯＦＦモードに設定し、ＭＩＣ１５ｃをＭＩＣ動作モードにて稼動させると共に、ＳＰＫ１１をモノラル（Left＋Right）スピーカ動作モードにて稼動させる。
【００３５】
よって、携帯電話機１０３によれば、筐体の開閉状態に応じて、一般的な通話またはテレビ電話による通話に適した音響の入出力機能を提供することができる。
【００３６】
また、動画像の録画時（ステップＳ３ｃ）、動画像の再生時（ステップＳ３ｄ）及び音声・音楽再生時（ステップＳ３ｅ）は、それぞれにおいてＭＩＣ１５ｃをＯＦＦモードに設定し、図３に示す実施例１のステップＳ６及びＳ７と同様な設定を行う（ステップＳ３９、Ｓ４０）。
【００３７】
［実施例４］
図８は、実施例４の携帯電話機１０４の構成を示すブロック図である。携帯電話機１０４の音響入出力部１０は、音響出力手段として、ＳＰＫ１１と、ＲＥＣ１３ａ及びＲＥＣ１３ｂとを備え、また、各ＲＥＣ１３ａ及び１３ｂに対し、上記説明したレシーバ動作モードまたはスピーカ動作モードを切り換え設定するための信号源スイッチ１８ａ及び信号源スイッチ１８ｂを備える。
【００３８】
信号源スイッチ１８ａは、例えばＲＥＣ１３ａが、レシーバ動作モードにて稼動するとき、このＲＥＣ１３ａをＲＥＣ駆動部１４に接続し、また、後述の所定の通信処理においてスピーカ動作モードに設定されるとき、このＲＥＣ１３ａをＳＰＫ駆動部１２に接続する。
【００３９】
図９に、携帯電話機１０４の外観を概略的に示す。携帯電話機１０４は、筐体上部１０４ａと筐体下部１０４ｂとが回転軸機構１０４ｃにより接続されたロータリー型の携帯電話機であり、図９に示すように、筐体上部１０４ａのＬＣＤ２７近傍にＲＥＣ１３ａ及びＲＥＣ１３ｂが設けられ、筐体下部１０４ｂのキー２５近傍にＭＩＣ１５が設けられている。また、筐体下部１０４ｂの先端面にＳＰＫ１１が設けられている。
【００４０】
携帯電話機１０４の動作手順を図１０のフローチャートに沿って説明する。携帯電話機１０４は、起動時（ステップＳ４１）の初期化処理として、ＲＥＣ１３ａ及びＲＥＣ１３ｂをレシーバ動作モードに設定し、ＳＰＫ１１をモノラル（Left＋Right）スピーカ動作モードに設定する（ステップＳ４２）。
【００４１】
携帯電話機１０４における一般的な通話時は（ステップＳ３ａ）、ユーザが携帯電話機１０４を耳に接触させて利用することから、ＲＥＣ１３ａ及びＲＥＣ１３ｂの何れか一方をレシーバ動作モードにて稼動させ、他方のレシーバ及びＳＰＫ１１をＯＦＦにする（ステップＳ４３）。図示の例では、ＲＥＣ１３ａを稼動させ、他方のＲＥＣ１３ｂをＯＦＦにしている。
【００４２】
また、テレビ電話による通話時は（ステップＳ３ｂ）、ＲＥＣ１３ａをステレオ（Left）スピーカ動作モードにて稼動させ、ＲＥＣ１３ｂをステレオ（Right）スピーカ動作モードにて稼動させ、ＳＰＫ１１をモノラル（Left＋Right）スピーカ動作モードにて稼動させる（ステップＳ４４）。これにより、テレビ電話時において、３つの音響出力手段を用いた臨場感のある音声を提供することができる。
【００４３】
動画像の録画時は（ステップＳ３ｃ）、音響の外部出力が不要となることから、音響出力手段であるＲＥＣ１３ａ、ＲＥＣ１３ｂ、及びＳＰＫ１１のすべてをＯＦＦモードに設定する（ステップＳ４５）。また、動画像の再生時（ステップＳ３ｄ）及び音声・音楽の再生時（ステップＳ３ｅ）は、テレビ電話時の上記ステップＳ４４と同様に、ＲＥＣ１３ａ及び１３ｂによるステレオ音響出力と、ＳＰＫ１１によるモノラル出力を行う（ステップＳ４６）。
【００４４】
なお、実施例４の上記説明では、携帯電話機１０４として図９に示すようなロータリー型の端末を用いたが、図８の構成を成すものであれば、折りたたみ型の端末に上記手順を適用することができる。
【００４５】
［実施例５］
本発明においては、上記携帯電話機１０４のようなロータリー型の端末における通話時及びテレビ電話時の音響出力を、筐体の開閉状態に応じて制御することができる。その手法を実施例５として以下に説明する。
【００４６】
実施例５の携帯電話機１０５の外観を図１１に概略的に示す。ロータリー型の端末である携帯電話機１０５は、図１１（ａ）に示すように、筐体上部１０５ａの先端付近にＲＥＣ１３ａが設けられ、このＲＥＣ１３ａからＬＣＤ２７を挟んで回転軸機構１０５ｃ近傍にＲＥＣ１３ｂが設けられている。なお、他の音響出力手段であるＳＰＫ１１の配置は、図９に示す携帯電話機１０４と同様である。
【００４７】
また、携帯電話機１０５が閉じられた状態、すなわち回転軸機構１０５ｃにより筐体上部１０５ａを旋回させ、これを筐体下部１０５ｂに重ね合わせた状態を同図（ｂ）に示す。この図から分かるように、携帯電話機１０５は、筐体が閉じられた状態にあっても、筐体下部１０５ｂのＭＩＣ１５が露出するように形成されている。これにより、図１１（ａ）のような携帯電話機１０５が開いた状態、あるいは同図（ｂ）のように閉じた状態のいずれであっても、ＭＩＣ１５を音響入力手段として共用することができる。
【００４８】
携帯電話機１０５は、筐体の開閉状態を図８に示す開閉検出部３１により検出する。この開閉検出部３１としては、例えば、実施例３にて説明した圧力センサを用い、これを筐体上部１０５ａの表面の先端付近、すなわち、ＬＣＤ２７の面と背向する面の先端付近に設けることにより、図１１（ｂ）の状態を筐体の閉じた状態として検出することができる。
【００４９】
携帯電話機１０５の動作手順を図１２のフローチャートに沿って説明する。なお、動画像の録画時（ステップＳ３ｃ）、動画像の再生時（ステップＳ３ｄ）及び音声・音楽の再生時（ステップＳ３ｅ）における手順は、図１０に沿って説明した実施例４のものと同様であり、ここでは説明を省略する。
【００５０】
携帯電話機１０５は、起動時（ステップＳ５１）の初期化処理において、ＲＥＣ１３ａ及びＲＥＣ１３ｂをＯＦＦにし、ＳＰＫ１１をモノラル（Left＋Right）スピーカ動作モードに設定する（ステップＳ５２）。
【００５１】
一般的な通話時（ステップＳ３ａ）、ＣＰＵ２４は、開閉検出部３１により筐体の開閉状態を確認し、その結果を音響処理部５０へ通知する。具体的には、例えば図１１（ｂ）のような回転収納状態、すなわち筐体が閉じた状態にある場合（ステップＳ５３：Ｙｅｓ）、回転軸機構１０４ｃ近傍のＲＥＣ１３ｂを送話手段として利用すべく、これをレシーバ動作モードにて稼動させ、他方のＲＥＣ１３ａ及びＳＰＫ１１をＯＦＦにする（ステップＳ５４）。
【００５２】
また、図１１（ａ）のように筐体が開いた状態にある場合は（ステップＳ５３：Ｎｏ）、ＲＥＣ１３ａを送話手段として利用するために、これをレシーバ動作モードにて稼動させ、他方のＲＥＣ１３ｂとＳＰＫ１１とをＯＦＦにする（ステップＳ５５）。
【００５３】
テレビ電話にて通話の際は（ステップＳ３ｂ）、筐体が開いた状態（ステップＳ５６：Ｙｅｓ）または閉じた状態（ステップＳ５６：Ｎｏ）において、ＲＥＣ１３ａをステレオ（Left）スピーカ動作モードにて稼動させ、ＲＥＣ１３ｂをステレオ（Right）スピーカ動作モードにて稼動させ、ＳＰＫ１１をモノラル（Left＋Right）スピーカ動作モードにて稼動させる。なお、筐体の開閉状態に応じて、ＲＥＣ１３ａおよびＲＥＣ１３ｂのステレオ出力の（Left）および（Right）を反転させてもよい。
【図面の簡単な説明】
【００５４】
【図１】本発明による実施例１及び２の携帯電話機の構成を示すブロック図である。
【図２】実施例１及び２の携帯電話機の外観図である。
【図３】実施例１の動作手順を示すフローチャートである。
【図４】実施例２の動作手順を示すフローチャートである。
【図５】本発明による実施例３の携帯電話機の構成を示すブロック図である。
【図６】実施例３の携帯電話機の外観図である。
【図７】実施例３の動作手順を示すフローチャートである。
【図８】本発明による実施例４及び５の携帯電話機の構成を示すブロック図である。
【図９】実施例４の携帯電話機の外観図である。
【図１０】実施例４の動作手順を示すフローチャートである。
【図１１】実施例５の携帯電話機の外観図である。
【図１２】実施例５の動作手順を示すフローチャートである。
【符号の説明】
【００５５】
１０１〜１０５  携帯電話機
１０  音響入出力部
１１：ＳＰＫ、１２：ＳＰＫ駆動部、１３：ＲＥＣ、１４：ＲＥＣ駆動部、１５：ＭＩＣ、１６：入出力スイッチ、１７：ＭＩＣ入力検出部、１８：信号源スイッチ
２０  通信処理部
２１：送受信アンテナ、２２：携帯電話用無線部、２３：システム処理部、２４：ＣＰＵ、２５：キー、２６：キー検出部、２７：ＬＣＤ、２８：ＬＣＤ駆動部、２９：ＲＯＭ、３０：ＲＡＭ、３１：開閉検出部
５０  音響処理部
【図１】
2005236385.tif 000003
【図２】
2005236385.tif 000004
【図３】
2005236385.tif 000005
【図４】
2005236385.tif 000006
【図５】
2005236385.tif 000007
【図６】
2005236385.tif 000008
【図７】
2005236385.tif 000009
【図８】
2005236385.tif 000010
【図９】
2005236385.tif 000011
【図１０】
2005236385.tif 000012
【図１１】
2005236385.tif 000013
【図１２】
2005236385.tif 000014